(57)【要約】【課題】  小物や装飾品等立体形状の物品を内部に収納して下げ飾りとして使用できる小物収納容器を提供する。【解決手段】  薄肉の背板23とその周縁に略垂直に設けられた内壁体21、該内壁体の下端に設けられた周縁枠板、該周縁枠板の外周縁から内壁体21と平行して起立する外壁体22とから成るケース本体部20と、前記内壁体21に緩やかに外嵌する嵌合枠体とその上端から外方に延設された鍔部42とから成るカバー部40と、伸縮性を有する透明フィルム30とで構成され、内壁体21と嵌合枠体とで前記透明フィルム30の周縁近傍を挟持するようにして前記ケース本体部20にカバー部40を組み付け、ケース本体部20内部に収納空間を形成することを特徴とする小物収納容器10とする。【選択図】図１
0003132469.tif 000002
【実用新案登録請求の範囲】
【請求項１】
薄肉の背板とその周縁に略垂直に設けられた内壁体、該内壁体の下端に設けられた周縁枠板、該周縁枠板の外周縁から前記内壁体と平行して起立する外壁体とから成るケース本体部と、
前記内壁体に緩やかに外嵌する嵌合枠体とその上端から外方に延設された鍔部とから成るカバー部と、
伸縮性を有する透明フィルム
とで構成され、
前記内壁体と嵌合枠体とで前記透明フィルムの周縁近傍を挟持するようにして前記ケース本体部にカバー部を組み付け、ケース本体部内部に収納空間を形成することを特徴とする小物収納容器。
【請求項２】
前記ケース本体部の外壁体には少なくとも１つの切り欠きが開口部側から形成されていることを特徴とする請求項１に記載の小物収納容器。
【請求項３】
前記外壁体の外周壁において、前記切り欠きのうちの１つの両側に該外壁体の高さに略等しい長さの略半円柱形状の膨出部が設けられていることを特徴とする請求項２に記載の小物収納容器。
【請求項４】
前記鍔部の外縁所定位置から外方に膨出する板状の突出部が更に設けられ、該突出部には貫通孔が形成されていることを特徴とする請求項１乃至請求項３のいずれかに記載の小物収納容器。
【請求項５】
前記内壁体、外壁体及び嵌合枠体は、円筒形状であることを特徴とする請求項１乃至請求項４のいずれかに記載の小物収納容器。
【考案の詳細な説明】
【技術分野】
【０００１】
本考案は、小物収納容器に関し、更に詳しくは、内部に小物や貴金属等立体形状の装飾品を収納しアクセサリーや展示保管ケースとして使用する小物収納容器に関する。
【背景技術】
【０００２】
従来から、小物や貴金属等の装飾品を収納する小物収納容器は種々提案されており、この小物収納容器に吊り下げ用のチェーンや紐を取り付けてアクセサリーとしての使用がなされている。例えば、互いに連結可能な一対の枠に夫々カバーを取り付け、少なくとも一方のカバーを透明板により形成し、両カバー間にポジフィルムや写真類を配置するキーホルダーが提案されている（例えば、特許文献１参照）。
【０００３】
また、室内装飾に使用できる小物収納容器として、円形環状に形成した環材の端部に伸縮変形自在な透明フィルムを張設して保持枠体を構成し、２個組み合わせて一対としたこの保持枠体の透明フィルム間に装飾品を挟持させて、前記環材同士を固定するカバー枠を組み付けた装飾品ホルダーが提案されている（例えば、特許文献２参照）。この装飾品ホルダーはホルダーの両側面を伸縮変形自在な透明フィルムで構成しているため、立体形状の装飾品を挟持することができ、これにより装飾品が宙に浮いたように視認できる。
【特許文献１】実開昭６３−４７７１３号公報
【特許文献２】特開２００４−３２２３４０号公報
【考案の開示】
【考案が解決しようとする課題】
【０００４】
上記特許文献１に記載のキーホルダーの構成は、写真やカード等の平面的な装飾品を収納するためのものであって立体形状の装飾品は収納出来ず、特許文献２に記載の装飾品ホルダーは、収納された装飾品を展示する保管ケースとしての機能以外に実用的な機能を期待できないという問題がある。
【０００５】
本考案は、かかる点に鑑みてなされたものであり、小物や貴金属等立体形状の装飾品を内部に収納してアクセサリーや展示保管ケースとして使用できる小物収納容器を提供することを目的としている。
【課題を解決するための手段】
【０００６】
本考案に係る小物収納容器は、薄肉の背板とその周縁に略垂直に設けられた内壁体、該内壁体の下端に設けられた周縁枠板、該周縁枠板の外周縁から内壁体と平行して起立する外壁体とから成るケース本体部と、前記内壁体に緩やかに外嵌する嵌合枠体とその上端から外方に延設された鍔部とから成るカバー部と、伸縮性を有する透明フィルムとで構成され、前記内壁体と嵌合枠体とで前記透明フィルムの周縁近傍を挟持するようにして前記ケース本体部にカバー部を組み付け、ケース本体部内部に収納空間を形成することを特徴とする。
【０００７】
本考案において、前記ケース本体部の外壁体には少なくとも１つの切り欠きが開口部側から形成されていることが好ましく、該外壁体の外周壁において、この切り欠きのうちの１つの両側に外壁体の高さに略等しい長さの略半円柱形状の膨出部が設けられていることが好ましい。
【０００８】
また、前記鍔部の外縁所定位置から外方に膨出する板状の突出部が更に設けられ、該突出部には貫通孔が形成されていることが好ましい。
【０００９】
本考案において、前記内壁体、外壁体及び嵌合枠体は、円筒形状であることが好ましい。
【考案の効果】
【００１０】
本考案によれば、小物や貴金属等の装飾品を収納し、鞄、携帯電話機、文具などに吊り下げてアクセサリーとして使用したり、机上等に立設して展示保管ケースとして使用することが出来る。また、装飾品を収納する収納空間を形成する一面を伸縮性の透明フィルムで構成しているため、立体形状の物品を収納することができるとともに、この収納空間内で当該装飾品が動かないように固定して収納することもできる。
【考案を実施するための最良の形態】
【００１１】
本考案に係る小物収納容器は、略円形の薄肉の背板とその周縁に略垂直に設けられた内壁体、該内壁体の下端に設けられた周縁枠板、該周縁枠板の外周縁から内壁体と平行して起立する外壁体とから成るケース本体部と、前記内壁体に緩やかに外嵌する嵌合枠体とその上端から外方に延設された鍔部とから成るカバー部と、伸縮性を有する透明フィルムとで構成され、前記内壁体と嵌合枠体とで前記透明フィルムの周縁近傍を挟持するようにして前記ケース本体部にカバー部を組み付け、ケース本体部内部に収納空間を形成している。
【００１２】
また、ケース本体部の外壁体には少なくとも１つの矩形状の切り欠きが開口部側から形成されるとともに、該外壁体の外周壁において当該切り欠きのうちの１つの両側に外壁体の高さに略等しい長さの略半円柱形状の膨出部が設けられ、鍔部の外縁所定位置には板状の突出部が外方に向けて設けられるとともに該突出部には貫通孔が形成されている。
【実施例】
【００１３】
以下、本考案に係る小物収納容器について詳細に説明する。図１は、本実施形態の小物収納容器の斜視図であり、図２は、図１の小物収納容器を構成する各部材の斜視図である。図３は、装飾品を収納した本実施形態の小物収納容器の正面図及び断面図である。
【００１４】
本考案に係る小物収納容器10は、図１及び図２に示したように、上面視略円形状のケース本体部20、カバー部40及び透明フィルム30とで構成される。
【００１５】
ケース本体部20は、硬質の合成樹脂素材を成形して作成され、略円形の薄肉の背板23と、該背板23の周縁に略垂直に設けられた円筒形状の内壁体21と、該内壁体21の下端に設けられた周縁枠板24と、該周縁枠板24の外周縁から内壁体21と平行して起立する外壁体22とを備えて一方を開口として一体に形成されている。
【００１６】
図３（ｂ）に示したように、前記内壁体21と外壁体22は略同じ高さに形成され、前記背板23は内壁体21の内側壁面に備えられ、前記周縁枠板24は内壁体21と外壁体22の下端に備えられている。また、内壁体21はその高さ程度の間隔を隔てて外壁体22の内側に配設され、内壁体21と外壁体22は同心円筒形状とされている。
【００１７】
また、外壁体22には複数の矩形状の切り欠き25が開口部側から形成されている。これは組み立てられた小物収納容器10を各部材に分解する際に、該切り欠き25に指先やコイン、薄板を挿入し、当該切り欠き25を支点として、後述するカバー部40を押し上げることにより、該カバー部40を小さな力でケース本体部20と分離させることができるようにするものである。
【００１８】
前記外壁体22に形成される切り欠き25のうちの１つには、外壁体22の外周壁においてその切り欠き25の両側に略半円柱形状の膨出部26,26が外壁体22の高さと略等しい長さで設けられている。また、図３（ａ）に示したように、この膨出部26,26は、互いの膨出先端部同士を結んだ直線が膨出部26,26間の外壁体22の曲面よりも外側に位置するように配置される。従って、２つの膨出部26,26により、組み立てられた小物収納容器10が自立可能となっている。
【００１９】
カバー部40は、前記ケース本体部20と同様に硬質の合成樹脂素材を成形して作成され、円筒形状の嵌合枠体41と該嵌合枠体41の上端から外方に延設された鍔部42とで構成されている。
【００２０】
前記嵌合枠体41は前記ケース本体部20の内壁体21より僅かに大きい円筒形状であり、該内壁体21との間に僅かに間隙を有して当該内壁体21に緩やかに外嵌する。この間隙は後述する透明フィルム30の厚みと略同じとされる。
【００２１】
前記鍔部42は、その外側周縁を前記ケース本体部20の外壁体22と略等しくなるように構成されている。また、鍔部42の内側周縁及び外側周縁は面取り加工されている。これは、取り扱い中に誤って怪我をするのを防止するためである。また、鍔部42の外縁所定位置には突出部43が外方に向けて形成され、該突出部43には貫通孔43が形成されている。この貫通孔43には、図３に示したように、チェーン46などの紐材が挿通される。そして、鍔部42の上面には、所望により装飾45が施されている。
【００２２】
透明フィルム30は、透視可能な伸縮性を有するフィルムであって、ケース本体部20の直径と略等しい直径の円形状に形成されている。本考案に使用する透明フィルム30は、合成樹脂などの高分子材料を薄膜にしたもので、例えば、ポリウレタンフィルム、ポリ塩化ビニルフィルム、ナイロンフィルムなどが挙げられ、柔軟性、伸縮性、透湿性、耐摩耗性に優れるポリウレタンフィルムを使用することが好ましい。
【００２３】
次に、上記したケース本体部20、カバー部40及び透明フィルム30の組み立て方法について説明する。
図２に示したように、ケース本体部20に透明フィルム30を載置し、その上からカバー部40を該カバー部40の嵌合枠体41を該ケース本体部20の内壁体21に外嵌させて押し込む。この状態において、図３（ｂ）に示したように、透明フィルム30の周縁近傍は嵌合枠体41と内壁体21とで挟持され、図１に示したように、ケース本体部20の背板23と内壁体21、及び透明フィルム30とで収納空間が形成される。前記嵌合枠体41と内壁体21とは、透明フィルム30の厚みと略等しい間隙を形成するように構成されているため、組み立て後のケース本体部20とカバー部40は互いに確実に嵌合され、ずれたりすることはない。また、内壁体21と外壁体22の下端に周縁枠体24を備えているため、挟持された透明フィルム30の周縁部分が嵌合枠体41の下端より突出しても前記周縁枠体24上の空間に位置するため、小物収納容器10の外観の美的損失を抑制することができる。
【００２４】
このようにして組み付けられる小物収納容器10の収納空間に、装飾品50を収納する。本実施形態の小物収納容器10は、前記カバー部40の貫通孔43に挿通したチェーン46によって鞄や携帯電話機、文具などに吊り下げて、アクセサリーとして使用することができる。また、ケース本体部20の２つの膨出部26によって小物収納容器10を机上等に立設して、展示保管ケースとして使用することができる。
【００２５】
本考案の小物収納容器10に収容する装飾品50は、例えば、小さなフィギュアなどの小玩具や、貴金属、記念コイン等の立体形状のものを収納することができる。
【００２６】
また、図３（ａ）に示したように、装飾品50として、ビーズで作成した絵模様なども好適に収納することができる。このビーズの絵模様は、液体に接触すると表面が融解し乾燥により接着力が活性化する真球形状の樹脂製ビーズを用いて作成されるものである。図に示したように、種々の色に着色がなされたビーズを使用して所望の絵模様を作成することができ、この出来上がったビーズの絵模様を本考案の小物収納容器10に収納可能となっている。
【００２７】
このように、装飾品50をケース本体部20の内部に載置し、カバー部40を透明フィルム30を挟持するようにして該ケース本体部20に組み付けると、本考案の小物収納容器10の収納空間は、その一面が伸縮性の透明フィルム30で構成されているため、図３（ｂ）に示したように、収納された装飾品50の表面に沿ってこの透明フィルム30が張設され、収納空間内の装飾品50が安定して固定保持される。
【００２８】
装飾品50を収納した小物収納容器10は、図３（ａ）に示したように、ケース本体部20の貫通孔44にチェーン46を挿通して吊り下げ用アクセサリーとしたり、ケース本体部20に設けられた２つの膨出部26,26で小物収納容器10を立設させて展示することもできる。
【００２９】
本考案において、ケース本体部20の背板23を透明の合成樹脂素材で構成することが好ましい。ケース本体部20の背面を透明に構成することで、小物収納容器10内にある装飾品50を前方後方のどちらからでも視認でき、またその装飾品50が浮いて見えるという効果がある。
【００３０】
また、前記背板23は、収納する装飾品50の厚みに合わせて配設位置を適宜定めればよく、例えば、内壁体21の下端に設けても良い。
【００３１】
本考案の小物収納容器は、上記した実施形態に限らず、例えば、ケース本体部20の内壁体21と外壁体22、及びカバー部40の嵌合枠体41を多角形状の筒体として構成しても良い。該外壁体22を多角形状の筒体として構成する場合、膨出部26,26は任意で備えればよい。
【００３２】
また、ケース本体部20の外壁体22の切り欠き25は、少なくとも１つ形成されていれば良く、また、２つの膨出部26,26は、互いの膨出先端部同士を結んだ直線が当該膨出部26,26間の側面よりも外側に位置するように構成されていれば切り欠き25の両側に設けなくとも良い。
【００３３】
更に、カバー部40の鍔部42は所望により様々な形状とすることができ、例えば、略三角形状の突出部43を等間隔で５個配設すると、正面から見たときに星型の形状とすることができる。カバー部40を星型の形状として形成したとき、貫通孔43は略三角形状の突出部43の１つに形成すればよい。
【００３４】
また、装飾品50としてビーズを用いて絵模様を作成した場合、このビーズの絵模様を片面に粘着テープを備えたウレタンフレームなどにビーズの絵模様を接着固定しておけば、本考案の小物収納容器10から取り出した後で衣服や壁紙等に貼る等して、更に展開された使用が可能となる。
【図面の簡単な説明】
【００３５】
【図１】本考案に係る小物収納容器の実施形態の斜視図である。
【図２】図１の小物収納容器を構成する各部材の斜視図である。
【図３】（ａ）は装飾品を収納した本実施形態の小物収納容器の正面図であり、（ｂ）は（ａ）のＡ−Ａ断面図である。
【符号の説明】
【００３６】
１０  小物収納容器
２０  ケース本体部
２１  内壁体
２２  外壁体
２３  背板
２４  周縁枠板
２５  切り欠き
２６  膨出部
３０  透明フィルム
４０  カバー部
４１  嵌合枠体
４２  鍔部
４３  突出部
４４  貫通孔
４５  装飾
４６  チェーン
５０  装飾品
【図１】
0003132469.tif 000003
【図２】
0003132469.tif 000004
【図３】
0003132469.tif 000005